(57)【要約】【課題】  外部回路との接続に通電ピンを用いる照明装置において、通電ピン挿入に際してのプリント基板の剥がれや位置ズレを抑制することが可能な照明装置を提供する。【解決手段】  透光性材料からなる導光体１３と、この導光体１３の側面に光を出射する光源１４と、光源１４と一端が外部回路に挿入される通電ピン１５とが実装された回路基板１６と、回路基板１６を収納するハウジング１２と、を備えてなる照明装置１１である。ハウジング１２内に、回路基板１６の通電ピン１５の挿入方向と対向する面と当接する支持部１２ｂを備えてなる。【選択図】  図１
2013041746.tif 000002
【特許請求の範囲】
【請求項１】
透光性材料からなる導光体と、この導光体の側面に光を出射する光源及び一端が外部回路に挿入される通電ピンが実装された回路基板と、前記回路基板を収納するハウジングと、を備えてなる照明装置であって、
前記ハウジング内に、前記回路基板の前記通電ピンの挿入方向と対向する面と当接する支持部を備えてなることを特徴とする照明装置。
【請求項２】
前記支持部は、前記ハウジングに形成されることを特徴とする請求項１に記載の照明装置。
【請求項３】
前記支持部は、前記導光体に形成されることを特徴とする請求項１に記載の照明装置。
【請求項４】
前記回路基板は、前記通電ピンの挿入方向と対向する面が前記ハウジングに接着部材を介して固定されてなることを特徴とする請求項１に記載の照明装置。
【請求項５】
前記ハウジングは、前記回路基板の前記通電ピンの挿入方向の面と対向するフック部を備えてなることを特徴とする請求項１に記載の照明装置。
【請求項６】
前記導光体は、前記ハウジングを兼ねることを特徴とする請求項１に記載の照明装置。
【発明の詳細な説明】
【技術分野】
【０００１】
本発明は、例えば光の透過や遮光によって所定情報を表示する液晶表示パネルや印刷表示パネル等の受光型表示パネルのバックライトとなる照明装置に関する。
【背景技術】
【０００２】
従来、この種の照明装置として例えば下記特許文献１に開示されるものが知られている。この照明装置は、透光性材料からなる導光体と、この導光体の一側面に対向配置される光源と、を備え、光源から出射した光を側面から導光体内に入射し、導光体の発光面から出射して液晶表示パネル等の受光型表示パネルを照明する面発光型のバックライトとなるものである。
【０００３】
図５は、従来の照明装置の一例を示すものである。照明装置１は、ハウジング２と、透光性材料からなる略平板状の導光体３と、この導光体３の側面に光を出射するＬＥＤ（光源）４及び通電ピン５とが実装されたプリント基板（回路基板）６と、を備え、ハウジング２内に導光体３及びプリント基板６を収納するものである。かかる照明装置１においては、導光体３とプリント基板６とはともにハウジング２の底面上に配置され、プリント基板６は両面テープ７を介してハウジング２に固定される。また、通電ピン５は、半田６ａによってプリント基板６の配線パターン（図示しない）と接続及び固定され、ハウジング２に形成される穴部２ａを介して導光体３の発光面と対向する方向に突出し、その一端（図５中の右端）は電源を有する外部回路（図示しない）に挿入される。
【先行技術文献】
【特許文献】
【０００４】
【特許文献１】特開２００８−２７７０６５号公報
【発明の開示】
【発明が解決しようとする課題】
【０００５】
しかしながら、外部回路との接続に通電ピン５を用い、導光体３とプリント基板６とをハウジング２の底面上に配置する構成においては、通電ピン５を外部回路に挿入する際、通電ピン５が力を受けると、プリント基板６をハウジング２から持ち上げる力が加わり、プリント基板６に剥がれや位置ズレが生じ、ＬＥＤ４の出射方向にズレが生じて導光体３の発光面において所望の明るさや均斉度が得られなくなるという問題があった。また、かかる問題を解消するために別途樹脂材料等でプリント基板６を持ち上げ方向に対して固定しなければならず、工数増、製造コスト増となるという問題があった。
【０００６】
そこで、本発明は、外部回路との接続に通電ピンを用いる照明装置において、通電ピンを外部回路に挿入する際のプリント基板の剥がれや位置ズレを抑制することが可能な照明装置を提供することを目的とする。
【課題を解決するための手段】
【０００７】
本発明は、前記課題を解決するため、透光性材料からなる導光体と、この導光体の側面に光を出射する光源及び一端が外部回路に挿入される通電ピンが実装された回路基板と、前記回路基板を収納するハウジングと、を備えてなる照明装置であって、
前記ハウジング内に、前記回路基板の前記通電ピンの挿入方向と対向する面と当接する支持部を備えてなることを特徴とする。
【０００８】
前記支持部は、前記ハウジングに形成されることを特徴とする。
【０００９】
前記支持部は、前記導光体に形成されることを特徴とする。
【００１０】
前記回路基板は、前記通電ピンの挿入方向と対向する面が前記ハウジングに接着部材を介して固定されてなることを特徴とする。
【００１１】
前記ハウジングは、前記回路基板の前記通電ピンの挿入方向の面と対向するフック部を備えてなることを特徴とする。
【００１２】
前記導光体は、前記ハウジングを兼ねることを特徴とする。
【発明の効果】
【００１３】
本発明は、通電ピンを外部回路に挿入する際のプリント基板の剥がれや位置ズレを抑制することが可能となる。
【図面の簡単な説明】
【００１４】
【図１】本発明の第１の実施形態である照明装置を示す斜視図。
【図２】同上の照明装置を示す要部断面図。
【図３】本発明の第２の実施形態である照明装置を示す要部断面図。
【図４】本発明の第３の実施形態である照明装置を示す要部断面図。
【図５】従来の照明装置の一例を示す図。
【発明を実施するための形態】
【００１５】
以下、本発明を液晶表示装置の照明装置に適用した第１の実施形態を添付図面に基づいて説明する。
図１において、本実施形態による照明装置１１は、ハウジング１２と、透光性材料からなる略平板状の導光体１３と、この導光体１３の側面に光を出射するＬＥＤ（光源）１４及び通電ピン１５とが実装されたプリント基板（回路基板）１６と、反射シート１７と、拡散シート１８と、を備えるものである。照明装置１１は、液晶表示パネルＡの背面側に配置され、ＬＥＤ１４からの光を導光体１３の側面から入射させ、導光体１３の発光面（図１における上面）より光を出射して液晶表示パネルＡを照明する、いわゆるエッジライト方式の照明装置である。なお、Ｂはベゼルであり、ハウジング１２に嵌め込まれ、液晶表示パネルＡの脱落を防止するものである。
【００１６】
ハウジング１２は、ファイバ入りポリカーボネート樹脂等の非透過樹脂材料からなり、導光体１３及びプリント基板１６等の各部材を収納するものである。ハウジング１２は、導光体１３を配置する第１の平面部１２ａと、第１の平面１２ａよりも導光体１３の発光面側に設けられ、プリント基板１６を配置する第２の平面部１２ｂと、を有する。また、ハウジング１２は、第２の平面部１２ｂにＬＥＤ１４に応じた切り欠き部１２ｃが形成されている。
【００１７】
導光体１３は、アクリル樹脂やポリカーボネート樹脂等の透明樹脂材料を用いて略平板状に形成されるものである。導光体１３は１つの側面からＬＥＤ１４の光を入射し、発光面より均一に光を出射する。なお、導光体１３は、側面を有する略平板状に形成されるものであればよく、例えば楔型状に形成されるものであってもよい。
【００１８】
ＬＥＤ１４は、例えば白色ＬＥＤからなり、出射面が導光体１３の側面に対向するようにプリント基板１６上に実装される。
【００１９】
通電ピン１５は、スズメッキ付き銅等の金属材料からなり、プリント基板１６に実装されるとともに、一端（図１中の下端）が電源を有する図示しない電源基板（外部回路）に挿入され、ＬＥＤ１４に電源を供給する。
【００２０】
プリント基板１６は、その基材が硬質の絶縁体からなる回路基板である。プリント基板１６は、両面テープ（接着部材）１６ａを介してハウジング１２の第２の平面部１２ｂに配設固定される。プリント基板１６は、通電ピン１５の挿入方向（図１中の下方向）と対向する面（図１中の上面）上にＬＥＤ１４が実装され、図示しない配線パターンによって少なくともＬＥＤ１４への給電路を形成する。
【００２１】
反射シート１７は、例えば表面が銀蒸着された合成樹脂フィルムからなり、導光体１３の裏面に密着するように配置され、導光体１３内の光を発光面側に反射するものである。
【００２２】
拡散シート１８は、例えば白色の合成樹脂からなり、導光体１３上に配置されて導光体１３から出射される光を拡散させ、光の均斉度を向上させて照明装置１１の輝度ムラを低減するものである。なお、さらに、輝度向上を目的として、プリズムシートを配置してもよい。
【００２３】
以上の各部材によって、照明装置１１が構成されている。
【００２４】
図２は、照明装置１１におけるプリント基板１６の収納状態を示す要部断面図である。なお、プリント基板１６は、ハウジング１２の第２の平面部１２ｂに両面テープ１６ａを介して固定される。通電ピン１５は、プリント基板１６に半田１６ｂで接続及び固定され、一端（図２中の下端）が導光体１３の発光面と対向する方向に突出した状態となる。
かかる状態で、通電ピン１５を図２中の矢印方向（下方向）に前記電源基板に挿入する等の作業の際に通電ピン１５に力が加わると、プリント基板１６に対しても図２中の矢印と反対方向（上方向）のストレス（力）が掛かる。しかし、従来と異なり、プリント基板１６の通電ピン１５の挿入方向と対向する面（図２中の上面）は、ハウジング１２に設けられた第２の平面部１２ｂと当接する（なお、ハウジング１２とプリント基板１６との間には両面テープ１６ａが介在するが、本発明において「当接」とは、通電ピン１５の挿入に際してプリント基板１６に生じるストレスを受ける状態を言い、直接触れる状態のほか、接着部材などの他の部材を介してストレスを受ける場合も含むものとする）。そのため、通電ピン１５の挿入に際してプリント基板１６にストレスが加わっても、プリント基板１６が支持部となる第２の平面部１２ｂに押しつけられる状態となり、別途剥がれ防止の固定材料を用いる等の工数増なくプリント基板１６の剥がれや位置ズレを抑制することができる。なお、第２の平面部１２ｂには、ＬＥＤ１４の実装位置に応じた切り欠き部１２ｃが形成されており、プリント基板１６が第２の平面部１２ｂに固定された状態でＬＥＤ１４が導光体１３の側面と対向可能となっている。
【００２５】
次に、図３を用いて本発明の第２の実施形態について説明する。なお、前述の実施形態と同一あるいは相当箇所には同一符号を付してその詳細は省略する。
【００２６】
第２の実施形態である照明装置２１が前述の第１の実施形態と異なる第１の点は、ＬＥＤ１４をプリント基板１６の通電ピン１５の挿入方向（図３中の矢印方向）の面（図３中の下面）上に実装している点である。したがって、ハウジング１２の第２の平面部１２ｂにおいては切り欠き部１２ｃが形成されない。また、第２の平面部１２ｂの高さなどはプリント基板１６が配設された際にＬＥＤ１４が導光体１３の側面と対向できるよう適宜調整される。かかる構成によっても、通電ピン１５の挿入に際してプリント基板１６にストレスが加わっても、プリント基板１６が支持部となる第２の平面部１２ｂに押しつけられる状態となり、別途剥がれ防止の固定材料を用いる等の工数増なくプリント基板１６の剥がれや位置ズレを抑制することができる。
【００２７】
さらに、照明装置２１が前述の第１の実施形態と異なる第２の点は、ハウジング１２の壁部からプリント基板１６と平行方向に突出し、プリント基板１６の通電ピン１５の挿入方向の面と対向するフック部１２ｄを形成した点である。これによって、プリント基板１６の脱落を防止することができる。
【００２８】
次に、図４を用いて本発明の第３の実施形態について説明する。なお、前述の実施形態と同一あるいは相当箇所には同一符号を付してその詳細は省略する。
【００２９】
第３の実施形態である照明装置３１が前述の第１、第２の実施形態と異なる点は、導光体１３にプリント基板１６の通電ピン１５の挿入方向（図４中の矢印方向）と対向する面（図４中の上面）と当接する延設部１３ａを形成した点である。なお、第１の実施形態と同様、ＬＥＤ１４はプリント基板１６の通電ピン１５の挿入方向と対向する面上に実装される。また、ハウジング１２の第２の平面部１２ｂには、延設部１３ａの形成位置に対応した切り欠き部１２ｅが形成される。延設部１３ａは、導光体１３の側面からプリント基板１６と平行方向に突出し、プリント基板１６の通電ピン１５の挿入方向と対向する面のうち２本の通電ピン１５の間の個所と当接するように形成される。かかる構成によっても、通電ピン１５の挿入に際してプリント基板１６にストレスが加わっても、プリント基板１６の２本の通電ピン１５の間の個所が支持部となる延設部１３ａに押しつけられる状態となり、別途剥がれ防止の固定材料を用いる等の工数増なくプリント基板１６の剥がれや位置ズレを抑制することができる。また、本発明の照明装置は、導光体１３がハウジング１２を兼ねる、すなわち専用のハウジングをなくし、導光体１３にプリント基板１６を収納可能な収納部を設けるものであってもよく、かかる場合にも導光体１３にプリント基板１６の通電ピン１５の挿入方向と対向する面と当接する支持部を設けることで、別途剥がれ防止の固定材料を用いる等の工数増なくプリント基板１６の剥がれや位置ズレを抑制することができる。
【産業上の利用可能性】
【００３０】
本発明は、光の透過や遮光によって所定情報を表示する液晶表示パネルや印刷表示パネル等の受光型表示パネルのバックライトとなる照明装置に好適である。
【符号の説明】
【００３１】
１１、２１、３１  照明装置
１２  ハウジング
１２ａ  第１の平面部
１２ｂ  第２の平面部（支持部）
１２ｃ  切り欠き部
１２ｄ  フック部
１２ｅ  切り欠き部
１３  導光体
１３ａ  延設部（支持部）
１４  ＬＥＤ（光源）
１５  通電ピン
１６  プリント基板（回路基板）
【図１】
2013041746.tif 000003
【図２】
2013041746.tif 000004
【図３】
2013041746.tif 000005
【図４】
2013041746.tif 000006
【図５】
2013041746.tif 000007